(57)【要約】      （修正有）【課題】指が思うように使えない身障者などでも使用でき、各個人の状況や文章能力に合わせて表示部をカスタマイズ出来たり、緊急時の使用を考え、意思伝達の速さを改良した意思伝達表示具を提供する。  【解決手段】内側文字盤９と、外側文字盤８と各文字盤が回転した際に、各文字盤に表示された文字が、ほぼ一直線にそろって並ぶ状態に、前記内側文字盤と前記外側文字盤の回転が一時停止する回転止めを設けた意思伝達表示具である。【選択図】図２
2005087535.tif 000002
【特許請求の範囲】
【請求項１】
内側文字盤と、外側文字盤と、各文字盤が回転した際に、前記内側文字盤と前記外側文字盤上に表示された文字が、ほぼ一直線上に揃って並ぶ状態に、前記内側文字盤と前記外側文字盤の回転が一時停止する回転止めが設けられたことを特徴とする意思伝達表示具。
【請求項２】
前記内側文字盤と前記外側文字盤上には、前記回転が一次停止する位置に、透明の文字札入れが設けられており、この文字札入れに挿入された文字札が、文字盤上に表示されることを特徴とする意思伝達表示具。
【発明の詳細な説明】
【技術分野】
【０００１】
本発明は、主として言葉の発声に障害のある人、たとえば要介護高齢者、脳口頭障害者など口頭に拠る意思伝達が困難又は不可能な人と健常者などの他の者とのコミュニケーションを簡易に行うことを補助すると言った用途に使用される意思伝達表示具に関する。
【背景技術】
【０００２】
従来、口頭障害者が、相手方とコミュニケーションを図る方法は、一般的には、手話や筆談を利用することであるが、手話は誰しも取得しているわけではないから汎用性がなく、又、筆談は、筆を持って文字を書くことすら困難な口頭障害者では利用できない。一方、ワープロやパソコンなどの電子計算機器類を使用する手段もあるが非常にコスト高であるばかりか、操作性及び簡便性、携帯性等に劣るので、口頭障害者の会話を簡易に補助できるものではないので、この意思伝達表示具には誰にでもすぐに取り扱うことが出来る操作性および操作時の安全性、簡便性等と言った単純かつ明解な機能が要求される。
【０００３】
そこで、従来の意思伝達表示具は次のような構造をしている。
図１は、特許文献１における会話 補助具の表面図である。
図中の符号をつけた部分は下記のような名前で呼ぶ。
１．会話補助具
２．板状体
３．孔
４．表裏面
５．表面に表示された文字
６．裏面に表示された文字
【０００４】
図１に於いて、本発明に係る会話補助具を示す。かかる会話補助具１は、板状体２に、複数の孔３が表裏面４に貫通するように穿設されており、該孔３に対応して板状体２の表裏面４には、同一の文字５，６が表示されている。使用法は表面側から選んだ文字の孔３に１つ１つ指を通して伝達したい文章を組み立て、それを裏面から見た人が意思伝達者の指の行き先を順番に追い、意思表示の文章を把握するものである。
なお、例えば特許文献２には手動で回転可能な球状の回転体に表示面を有することを特徴とする表示具の技術が記載されている。また、特許文献３には画面の向きが逆転キーの操作で保護者側部と障害者側部とに変換する機能を備えたことを特徴とするという会話用表示装置の技術が記載されている。
【特許文献１】特開２００２−８２６０３（Ｐ２００２−８２６０３Ａ）号公報
【特許文献２】特開平８−２４１０５０号公報
【特許文献３】実用新案登録第３０８７７７４号（Ｕ３０８７７７４）号公報
【発明の開示】
【発明が解決しようとする課題】
【０００５】
ここで、従来の意思伝達表示具には、次のような解決すべき課題があった。
第１に、会話には意思伝達の速さと正確さを必要とするが、従来の表示具では相手に伝えたい文章を１文字１文字指で示さなければ相手に意思が通じないため、伝達の遅さと、伝えたい意思を文章に表す時、個人差の文章能力による優劣が伝達事項の正確さを左右するという問題があった。
【０００６】
第２に、意思伝達表示具は身体障害者や例えば指を怪我している時の様な指先を使えない場合でも手首や肘などを使って意思を伝達できる機能、構造をしていることが望ましい。
しかし、従来の表示具には指、若しくは指示棒などを用いなければ使用できないという問題があった。
【０００７】
本発明は以上の課題を解決するためになされたもので、指が思うように使えない身体障害者などでも使用でき、各個人の状況や文章能力に合わせて表示部をカスタマイズ出来たり、緊急時の使用を考え意思伝達の速さを改良した意思伝達表示具を提供することを目的とするものである。
【課題を解決するための手段】
【０００８】
次項に説明する実施の形態によって実現される発明は、それぞれ次のような構成をしている。
〈構成１〉
内側文字盤と、外側文字盤と、各文字盤が回転した際に、前記内側文字盤と前記外側文字盤上に表示された文字が、ほぼ一直線上に揃って並ぶ状態に、前記内側文字盤と前記外側文字盤の回転が一時停止する回転止めが設けられたことを特徴とする意思伝達表示具。
【０００９】
〈構成２〉
前記内側文字盤と前記外側文字盤上には、前記回転が一次停止する位置に、透明の文字札入れが設けられており、この文字札入れに挿入された文字が、文字盤上に表示されることを特徴とする意思伝達表示具。
【発明を実施するための最良の形態】
【００１０】
以下、本発明の実施の形態を具体例を挙げながら詳細に説明する。なお、構成１、構成２といった構成番号と下記の具体例１、具体例２といった具体例番号とは、特に関連性は無く、必ずしも対応していない。
【００１１】
図２は、具体例１の意思伝達表示具の主要部上面図である。
７．基盤
８．外側文字盤
９．内側文字盤
１０．軸止め
１５．指示ライン
１６．自転車用ベル
１７．設置用穴
図において、基盤７の上に中心に穴の開いた円盤状の外側文字盤８が乗っており、その上に同じく小径の内側文字盤９が乗っており、この２枚を基盤７に取り付けるための軸止め１０の軸がこの２枚の円盤の中心穴を貫通して基盤７に固定されている。この軸止め１０の軸を中心軸として外側文字盤８と内側文字盤９は自由に回転する。また、外側文字盤８と内側文字盤９の材質は透明アクリル等の樹脂で、基盤７に塗布された指示ライン１５は２枚の文字盤を透過して上から見える。また、基盤７には意思伝達する相手の呼び出し用として自転車用ベル１６と、この装置をベッド等に固定するための設置用穴１７を備える。
【００１２】
以下、各部品についての詳細を説明する。
図３は、具体例１の内側文字盤９の上面図である。
９．内側文字盤
１２．透明ビニル名札入れ
１４．回転用ツマミ
２２．回転止め穴
２３．中心穴
図に示す様に円盤の中心から放射線状に透明ビニル名札入れ１２が等間隔に配置され、この透明ビニル名札入れ１２の中には表示したい文章を紙などに書いて挟み入れる。円盤外周近くで透明ビニル名札入れ１２の各間に、この文字盤を手で回転させるための円筒形状の回転用ツマミ１４が固定されている。この回転用ツマミは安全性を考慮してある程度柔らかいナイロン等の樹脂を用いる。回転止め穴２２は後述説明する一定位置で回転を一時停止させるための仕組みに用いる穴で図のように配置されている。
【００１３】
図４は、具体例１の内側文字盤９の下面図である。
図５は、具体例１の外側文字盤８の上面図である。
８．外側文字盤８
１１．透明ビニル名札入れ
１３．回転用ツマミ
２５．中心穴
図において基本的には内側文字盤９と同様に、放射線状に透明ビニル名札入れ１１、回転用ツマミ１４と同形同質の回転用ツマミ１３、中心穴２５が配置されている。
【００１４】
図６は、具体例１の外側文字盤８の下面図である。
２４．回転止め穴
２５．中心穴
図において外側文字盤８には内側文字盤９の回転止め穴２２と同様に、一定位置で回転を止めるための回転止め穴２４が、外周近くに等間隔に配置される。
【００１５】
図７は、具体例１の軸止め１０の上面図である。
図８は、具体例１の軸止め１０の下面図、図１１は軸止め１０の断面図である。
１０．軸止め
１８．回転止め突起
１９．中心軸
図８と図１１から分かるように、内側文字盤９を上から軸止め１０が押さえる時、回転止め突起１８が丁度内側文字盤９の回転止め穴２２の対角線上の２穴にはまる様にして配置されている。これの働きは内側文字盤９の回転の一時止めである。
【００１６】
図９は具体例１の基盤７の上面図、また図１０は、図９の基盤７を左から見た側面図である。
７．基盤
１５．指示ライン
１６．自転車用ベル
１７．設置用穴
２０．回転止め突起
２１．中心穴
図において、指示ライン１５の色は意思伝達者が示したい文章を合わせ易くする為に目立つ原色系を用いる。回転止め突起２０は前述の回転止め突起１８と同様に外側文字盤８の回転を一時止めするもので、図に示す位置に配置されている。中心穴２１は軸止め１０の中心軸１９をはめ込み固定する穴である。
【００１７】
図１５は、具体例１の主要構成部を説明するための断面図である。
７．基盤
８．外側文字盤
９．内側文字盤
１０．軸止め
１３．回転用ツマミ
１４．回転用ツマミ
前述の内側文字盤９と外側文字盤８にある各回転止め穴２２、回転止め穴２４は各文字盤が回転した際に、図に示す様に軸止め１０と基盤７に設けられた各回転止め突起と重なってはまり合う位置にあり、その位置で回転が一時停止する構造になっている。その一時停止する位置は、常に内側文字盤９と外側文字盤８の各透明ビニル名札入れがすべて指示ライン１５と一直線上に揃う場所である。これにより各文字盤の上の各透明ビニル名札入れの中に表示された文章が指示ライン１５の上で、ずれずにつながり、曖昧な表示を防止して確実な文章が表示可能となる。
【００１８】
図１２、図１３は具体例１の内側文字盤９の断面図である。
図１４は、具体例１の外側文字盤８の断面図である。
【００１９】
以上の構成により外側文字盤８と内側文字盤９に設けられた透明ビニル名札入れに予め想定された会話の文章をいくつも紙などに書いて差し込み入れ、両文字盤を自由に回転し、その中で自分が意思伝達したい文章を選び指示ライン１５に合わせることにより、速やかに相手に意思伝達が可能となった。また、自転車用ベル１６は、意思伝達したい相手が近くにいない時などに鳴らして呼び出すためのものである。
【００２０】
以上説明した本発明の意思伝達表示具は、高齢者や口頭障害者の介護時のみならず、幼児の言葉練習や商売上の周期的なスケジュール表といった用途にも広く利用することが可能である。
【００２１】
以上のように、本発明にはそれぞれ次のような効果がある。
第１に、機構が単純なため、誰でもすぐその場から使いこなせ、意思伝達したい文章は入れ替え自在なので、各個人の状況に合わせたカスタマイズが可能であり、極例を挙げれば文字が読めない人なら絵文字でも使用することは可能である。
第２に、２つの文字盤を回し、選択するだけであるから、伝達動作が非常に速いため要介護者が緊急に苦しい時などでも迅速にまた正確に訴えを聞くことが出来る。
第３に、本体及び操作部分はすべて安全な構造、材質で構成されているため、万が一を心配する必要がないし、指以外、例えば手首や肘などでも操作することが出来るので身体障害者にも対応出来る。
【図面の簡単な説明】
【００２２】
【図１】従来の会話補助具の表面図である。
【図２】具体例１の意思伝達表示具の主要部上面図である。
【図３】具体例１の内側文字盤９の上面図である。
【図４】具体例１の内側文字盤９の下面図である。
【図５】具体例１の外側文字盤８の上面図である。
【図６】具体例１の外側文字盤８の下面図である。
【図７】具体例１の軸止め１０の上面図である。
【図８】具体例１の軸止め１０の下面図
【図９】具体例１の基盤７の上面図
【図１０】図９の基盤７を左から見た側面図である。
【図１１】具体例１の軸止め１０の断面図である。
【図１２】具体例１の内側文字盤９の断面図である。
【図１３】具体例１の内側文字盤９の断面図である。
【図１４】具体例１の外側文字盤８の断面図である。
【図１５】具体例１の主要構成部を説明するための断面図である。
【符号の説明】
【００２３】
１．会話補助具
２．板状体
３．孔
４．表裏面
５．表面に表示された文字
６．裏面に表示された文字
７．基盤
８．外側文字盤
９．内側文字盤
１０．軸止め
１１．透明ビニル名札入れ
１２．透明ビニル名札入れ
１３．回転用ツマミ
１４．回転用ツマミ
１５．指示ライン
１６．自転車用ベル
１７．設置用穴
１８．回転止め突起
１９．中心軸
２０．回転止め突起
２１．中心穴
２２．回転止め穴
２３．中心穴
２４．回転止め穴
２５．中心穴
【図１】
2005087535.tif 000003
【図２】
2005087535.tif 000004
【図３】
2005087535.tif 000005
【図４】
2005087535.tif 000006
【図５】
2005087535.tif 000007
【図６】
2005087535.tif 000008
【図７】
2005087535.tif 000009
【図８】
2005087535.tif 000010
【図９】
2005087535.tif 000011
【図１０】
2005087535.tif 000012
【図１１】
2005087535.tif 000013
【図１２】
2005087535.tif 000014
【図１３】
2005087535.tif 000015
【図１４】
2005087535.tif 000016
【図１５】
2005087535.tif 000017